(57)【要約】【課題】従来の路面の融雪には、電熱式融雪マットを路面に置く方式のもの、ロードヒーティングを路面に埋設する方式のものなどがあるが、前者は使用場所に制約され、後者は埋設工事のための掘削り作業が困難な箇所に対処できない。【解決手段】下記の工程から構成されている。第１工程〜ヒーティングの施工を所望する路面スペースなどに防水紙４を敷設する。第２工程〜防水紙４の外周に外周枠５を取付ける。第３工程〜防水紙４の上面に放熱用パイプ６を蛇行状態で配管する。第４工程〜放熱用パイプ６の上面にエキスパンドメタル７を布設する。第５工程〜外周枠５内にモルタルセメント９を打設する。【選択図】        図１
2005023648.tif 000002
【特許請求の範囲】
【請求項１】
下記の各工程から構成されていることを特徴とするスペースヒーティングの形成方法。
第１工程
ヒーティングの施工を所望する路面スペース（２）あるいは踏板スペース（３）の上面に防水紙（４）を敷設する。
第２工程
防水紙（４）の外周に外周枠（５）を取付ける。
第３工程
防水紙（４）の上面に、当該防水紙とは所定間隔を存してステンレスなどでなる放熱用パイプ（６）を蛇行状態で配管する。
第４工程
第３工程で配管されたステンレスなどでなる放熱用パイプ（６）の上面にエキスパンドメタル（７）を載せ、当該エキスパンドメタル（７）の外周縁と外周枠（５）を連結すると共に、エキスパンドメタル（７）を路面スペース（２）あるいは踏板スペース（３）に固定金具（８）を用いて固定する。
第５工程
外周枠（５）内にモルタルセメント（９）を打設して、エキスパンドメタル（７）とステンレスなどでなる放熱用パイプ（６）との空間に充填し全体を固定する。
【請求項２】
下記の各工程から構成されていることを特徴とするスペースヒーティングの形成方法。
第１工程
路面スペース（２）あるいは踏板スペース（３）に直接外周枠（５）を取付ける。
第２工程
路面スペース（２）あるいは踏板スペース（３）の上面に、当該路面スペース（２）あるいは踏板スペース（３）とは所定間隔を存してステンレスなどでなる放熱用パイプ（６）を蛇行状態で配管する。
第３工程
第２工程で配管されたステンレスなどでなる放熱用パイプ（６）の上面にエキスパンドメタル（７）を載せ、当該エキスパンドメタル（７）の外周縁と外周枠（５）を連結すると共に、エキスパンドメタル（７）を路面スペース（２）あるいは踏板スペース（３）に固定金具（８）を用いて固定する。
第４工程
外周枠（５）内にモルタルセメント（９）を打設して、エキスパンドメタル（７）とステンレスなどでなる放熱用パイプ（６）との空間に充填し全体を固定する。
【請求項３】
請求項１記載のスペースヒーティングの形成方法における第３工程で用いる放熱用パイプ（６）と、請求項２記載のスペースヒーティングの形成方法における第２工程で用いる放熱用パイプ（６）を、横長楕円形の放熱用パイプに代えたことを特徴とするスペースヒーティングの形成方法。
【発明の詳細な説明】
【０００１】
【発明の属する技術分野】
本発明は、新規な構成を有する融雪面としてのスペースヒーティングの形成方法に関するものである。
ここで、スペースヒーティングとは、ロードヒーティングのような融雪面を形成する際、掘削り作業が困難な箇所、すなわち公共用道路、車庫前の路面、一段高いポーチ、階段の踏板部分などのスペースに融雪面を形成しようとするものである。
【０００２】
【従来の技術】
従来の路面の融雪は、下記のような構成のものなっている。
電熱式融雪マットを路面に置く方式のもの。（特許文献１、特許文献２）
ロードヒーティングを路面に埋設する方式のもの。（特許文献３、特許文献４）
【０００３】
【特許文献１】
特開２００２−１５５５１５号公報
【特許文献２】
特開２００２−１８０４１５号公報
【特許文献３】
特開平１０−３１７３１２号公報
【特許文献４】
特開２００３−６４６１７号公報
【０００４】
【発明が解決しようとする課題】
従来の技術で述べたものにあっては、下記のような問題点を有していた。
Ａ．電熱式融雪マットを路面に置く方式のものは、使用場所に制約される。
すなわち、車両や重量物が載る箇所には使用できない。
Ｂ．ロードヒーティングを路面に埋設する方式のものは、埋設するために大掛かりな工事が必要で、設備コストが高いと共に、多くの産業廃棄物が発生し、しかも、長期間使用できないなどの問題がある。
そして、公共用道路、車庫前、一段高いポーチ、階段などのように埋設工事のための掘削り作業が困難な箇所があり、そのような場合に対処できない。
加えて、内部の発熱パイプが路面下４０〜６０ｍｍ程度であるため、発熱パイプと路面との間の熱容量が大きいので省エネルギーの観点から見ても問題がある。
【０００５】
本発明は、従来の技術の有するこのような問題点に鑑みなされたものであり、その目的とするところは、上述の問題を解決できるものを提供しようとするものである。
【０００６】
【課題を解決するための手段】
上記目的を達成するために、本発明は下記のようになるものである。
すなわち、
請求項１記載の発明は、下記の各工程から構成されていることを特徴としている。
第１工程
ヒーティングの施工を所望する路面スペース２あるいは踏板スペース３の上面に防水紙４を敷設する。
第２工程
防水紙４の外周に外周枠５を取付ける。
第３工程
防水紙４の上面に、当該防水紙とは所定間隔を存してステンレスなどでなる放熱用パイプ６を蛇行状態で配管する。
第４工程
第３工程で配管されたステンレスなどでなる放熱用パイプ６の上面にエキスパンドメタル７を載せ、当該エキスパンドメタル７の外周縁と外周枠５を連結すると共に、エキスパンドメタル７を路面スペース２あるいは踏板スペース３に固定金具８を用いて固定する。
第５工程
外周枠５内にモルタルセメント９を打設して、エキスパンドメタル７とステンレスなどでなる放熱用パイプ６との空間に充填し全体を固定する。
【０００７】
請求項２記載の発明は、下記の各工程から構成されていることを特徴としている。
第１工程
路面スペース２あるいは踏板スペース３に直接外周枠５を取付ける。
第２工程
路面スペース２あるいは踏板スペース３の上面に、当該路面スペース２あるいは踏板スペース３とは所定間隔を存してステンレスなどでなる放熱用パイプ６を蛇行状態で配管する。
第３工程
第２工程で配管されたステンレスなどでなる放熱用パイプ６の上面にエキスパンドメタル７を載せ、当該エキスパンドメタル７の外周縁と外周枠５を連結すると共に、エキスパンドメタル７を路面スペース２あるいは踏板スペース３に固定金具８を用いて固定する。
第４工程
外周枠５内にモルタルセメント９を打設して、エキスパンドメタル７とステンレスなどでなる放熱用パイプ６との空間に充填し全体を固定する。
【０００８】
請求項３記載の発明は、請求項１記載の発明における第３工程で用いる放熱用パイプ６と、請求項２記載の発明における第２工程で用いる放熱用パイプ６を、横長楕円形の放熱用パイプに代えたことを特徴としている。
【０００９】
【発明の実施の形態】
以下、本発明の実施の形態を実施例にもとづき図面を参照して説明する。
１は本発明のスペースヒーティングの形成方法で得た融雪面である。
本発明は、上述のように掘削り作業が困難な箇所、すなわち公共用道路、車庫前の路面、一段高いポーチ、階段の踏板部分などのスペースに融雪面を形成しようとするものである。
そこで、下記の説明では、公共用道路、車庫前の路面、一段高いポーチなどにおけるヒーティングの施工を所望する面を路面スペース２とし、階段におけるヒーティングの施工を所望する踏板の面を踏板スペース３として説明する。
【００１０】
その形成方法は下記の各工程から構成されている。
第１工程
ヒーティングの施工を所望する路面スペース２あるいは踏板スペース３の上面に防水紙４を敷設する。
第２工程
防水紙４の外周に外周枠５を取付ける。
Ａ．外周枠５は、第１種外周枠５Ａあるいは第２種外周枠５Ｂから構成されている。
ａ．第１種外周枠５Ａは、ステンレス板をもって構成された水平板５Ａ１と水平板の一方辺に連設された傾斜板５Ａ２から構成されている。
ｂ．第２種外周枠５Ｂは、ステンレス板をもって構成された断面コ字状の型材状に構成されている。
Ｂ．外周枠５は、ビスＢＳなどで固定されているが、設置場所の条件によっては接着剤（図示省略）で接着することもできる。
第３工程
防水紙４の上面に、当該防水紙とは所定間隔を存して断面円形のステンレスなどでなる放熱用パイプ６を蛇行状態で配管する。このステンレスなどでなる放熱用パイプ６は往きパイプ６Ａと還りパイプ６Ｂによりボイラー６Ｃに連結されている。
【００１１】
第４工程
第３工程で配管されたステンレスなどでなる放熱用パイプ６の上面にエキスパンドメタル７を載せ、当該エキスパンドメタル７の外周縁と外周枠５を連結すると共に、エキスパンドメタル７を路面スペース２あるいは踏板スペース３に固定金具８を用いて固定する。
このエキスパンドメタル７は補強のために使用される。
固定金具８は、第１種固定金具８Ａあるいは第２種固定金具８Ｂで構成されている。
Ａ．第１種固定金具８Ａは、垂直板８Ａ１の下端に一方に向け連設された下方水平板８Ａ２と、垂直板８Ａ１の上端に他方に向け連設された上方水平板８Ａ３からなり、かつ下方水平板８Ａ２にはビス用穴８Ａ２１が開設されている。
ａ．第１種固定金具８Ａの使用方法は下記の通りである。
エキスパンドメタル７における展伸された網目状あるいは亀甲状の開口部７Ａに、当該第１種固定金具８Ａにおける上方水平板８Ａ３を係止し、下方水平板８Ａ２をビス８Ａ４で路面スペース２あるいは踏板スペース３に固定する。
Ｂ．第２種固定金具８Ｂは、公知の又釘のように針金を逆Ｕ字状に曲げて構成されている。
ａ．第２種固定金具８Ｂの使用方法は下記の通りである。
第２種固定金具８Ｂにおける２本の爪８Ｂ１を、エキスパンドメタル７における展伸された網目状あるいは亀甲状の開口部７Ａに上方から通すと共に、ステンレスなどでなる放熱用パイプ６を挟んだ状態で路面スペース２あるいは踏板スペース３に固定する。
第５工程
外周枠５内にモルタルセメント９を打設して、エキスパンドメタル７とステンレスなどでなる放熱用パイプ６との空間に充填し全体を固定する。
【００１２】
１．第１の他の実施例について説明する。
これは防水紙４を使用しない場合である。
その形成方法は下記の各工程から構成されている。
なお、図面は防水紙４の構成が示されているが、下記の説明に際しては、この防水紙４の構成がないものとして参照することができると考える。
第１工程
路面スペース２あるいは踏板スペース３に直接外周枠５を取付ける。
Ａ．外周枠５は、第１種外周枠５Ａあるいは第２種外周枠５Ｂから構成されている。
Ｂ．外周枠５は、ビスＢＳなどで固定されているが、設置場所の条件によっては接着剤（図示省略）で接着することもできる。
第２工程
路面スペース２あるいは踏板スペース３の上面に、当該路面スペース２あるいは踏板スペース３とは所定間隔を存して断面円形のステンレスなどでなる放熱用パイプ６を蛇行状態で配管する。
このステンレスなどでなる放熱用パイプ６は往きパイプ６Ａと還りパイプ６Ｂによりボイラー６Ｃに連結されている。
第３工程
第２工程で配管されたステンレスなどでなる放熱用パイプ６の上面にエキスパンドメタル７を載せ、当該エキスパンドメタル７の外周縁と外周枠５を連結すると共に、エキスパンドメタル７を路面スペース２あるいは踏板スペース３に固定金具８を用いて固定する。
第４工程
外周枠５内にモルタルセメント９を打設して、エキスパンドメタル７とステンレスなどでなる放熱用パイプ６との空間に充填し全体を固定する。
【００１３】
２．第２の他の実施例について説明する。
ステンレスなどでなる放熱用パイプ６は断面円形のもので説明したが、図３のごとくこれを断面横長の楕円形に構成された横長楕円形の放熱用パイプ６Ｄを蛇行状態で配管することができる。
このような横長楕円形の放熱用パイプ６Ｄを使用すると、融雪面１の厚さＴを薄くすることができる。
【００１４】
【実施例】
さらに、以下のような条件で実験した結果、極めて良好な結果が得られた。
１．ステンレスなどでなる放熱用パイプ６の直径は、路面スペース２に使用するものは１３ｍｍ、踏板スペース３に使用するものは１０ｍｍ程度である。
２．横長楕円形の放熱用パイプ６Ｄの短い方の直径は７ｍｍ程度である。
３．第１種外周枠５Ａの高さ寸法は８ｍｍ程度である。
４．第２種外周枠５Ｂの高さ寸法は１８ｍｍ程度である。
５．エキスパンドメタル７の寸法は、４．６ｍｍ程度である。
６．ステンレスなどでなる放熱用パイプ６は、１００ｍｍ間隔で蛇行状態で配管されている。
７．融雪面１の厚さは、最小１３ｍｍ〜最大５０ｍｍ程度までである。
【００１５】
【発明の効果】
本発明は、上述の通り構成されているので次に記載する効果を奏する。
１．公共用道路、車庫前、一段高いポーチ、階段などのように埋設工事のための掘削り作業が困難な箇所であっても、掘削り作業をすることなくスペースヒーティングによる融雪面を形成することができる。
２．エキスパンドメタルと放熱用パイプとの空間には、モルタルセメントを充填して全体が一体状態に固定されているから、高い耐衝撃性、耐圧強度、耐久性などを期待することができる。
３．借りた敷地に取付をする時、防水紙４を敷設すると、引き払う時に既存の路面の状態で返すことができる。
４．融雪面１を除去する際、簡単な作業で除去できると共に、掘削りに対するする埋め戻し作業も必要ない。
５．第１種外周枠５Ａは、ステンレス板をもって構成された水平板５Ａ１と水平板の一方辺に連設された傾斜板５Ａ２から構成されているから、融雪面の外周が傾斜した状態になるので、歩行者がつまずくなどの弊害を防止できる。
６．このほか、安価に製造できる、部品点数が少ないので組立が容易である、経済的である、などの効果をも有するものである。
【図面の簡単な説明】
【図１】ロードヒーティングとして使用する融雪面の斜視図である。
【図２】Ａ−Ａ線拡大断面図である。
【図３】同上における他の実施例の断面図である。
【図４】第１種外周枠の要部分解斜視図である。
【図５】第１種固定金具の斜視図である。
【図６】第２種固定金具の斜視図である。
【図７】第２種固定金具の使用状態を示す断面図である。
【図８】階段の踏板における融雪面の状態を示す斜視図である。
【図９】同上における要部の断面図である。
【符号の説明】
１  融雪面
２  路面スペース
３  踏板スペース
４  防水紙
５  外周枠
６  ステンレスなどでなる放熱用パイプ
６Ｄ  横長楕円形の放熱用パイプ
７  エキスパンドメタル
８  固定金具
９  モルタルセメント
【図１】
2005023648.tif 000003
【図２】
2005023648.tif 000004
【図３】
2005023648.tif 000005
【図４】
2005023648.tif 000006
【図５】
2005023648.tif 000007
【図６】
2005023648.tif 000008
【図７】
2005023648.tif 000009
【図８】
2005023648.tif 000010
【図９】
2005023648.tif 000011